(57)【要約】      （修正有）【課題】使用勝手が損なわれるのを防ぐことができるメイクブラシ洗浄容器を提供する。【解決手段】メイクブラシ洗浄容器は、メイクブラシ洗浄液を貯める容器本体２と、この容器本体２の底に脱着自在に取り付けられた凸部を有する洗浄体３とを備え、この洗浄体３は、前記洗浄体メイクブラシ洗浄液より比重が小さく、凸部は、メイクブラシ１の洗浄時、メイクブラシ１に当接するものである。【選択図】図６
0003214050.tif 000002
【実用新案登録請求の範囲】
【請求項１】
メイクブラシ洗浄液を貯める容器本体と、
この容器本体の底に脱着自在に取り付けられた凸部を有する洗浄体とを備え、
この洗浄体は、前記メイクブラシ洗浄液より比重が小さく、
前記凸部は、前記メイクブラシの洗浄時、前記メイクブラシに当接するものである
ことを特徴とするメイクブラシ洗浄容器。  
【請求項２】
洗浄体に前記洗浄体の表面と前記洗浄体の裏面を貫く開口部が設けられている
ことを特徴とする請求項１記載のメイクブラシ洗浄容器。  
【請求項３】
洗浄体の表面に手で把持できる摘みが設けられている
ことを特徴とする請求項１又は請求項２記載のメイクブラシ洗浄容器。 
【請求項４】
洗浄体の表面に設けられた凸部は、高さが高い複数の凸部と、この高い複数の凸部より高さが低い複数の凸部とを有し、
前記低い複数の凸部は、前記高い複数の凸部より摘みに近い側に位置し、前記低い複数の凸部は、前記摘みの周囲に設けられている
ことを特徴とする請求項３記載のメイクブラシ洗浄容器。
【請求項５】
容器本体の底が平面視、多角形形状であり、
洗浄体が平面視、多角形形状であり、
前記洗浄体の外周が前記容器本体の内壁に対向している
ことを特徴とする請求項１又は請求項２又は請求項３記載のメイクブラシ洗浄容器。
【請求項６】
容器本体は上部開口部を有し、
この上部開口部を覆う蓋体を有し、
この蓋体に垂下する垂下部材が設けられ、
この垂下部材にメイクブラシ支持部材が取り付けられ、
前記メイクブラシ支持部材は、前記蓋体に平行で、メイクブラシの柄の挿入を許容するメイクブラシ挿入口を有し、
前記蓋体の表面を載置面に当接した状態にあって、前記メイクブラシの柄の頭部を前記蓋体の裏面に当接し、前記メイクブラシの柄の中途を前記メイクブラシ挿入口の縁部で支持して、前記メイクブラシの毛を乾燥させるものであり、
前記垂下部材は中途が分離自在又は前記蓋体と前記メイクブラシ支持部材に一体的に形成されている
ことを特徴とする請求項１又は請求項２又は請求項３又は請求項５記載のメイクブラシ洗浄容器。
【請求項７】
メイクブラシの柄の頭部が係止するストッパーを蓋体の裏面に設けた
ことを特徴とする請求項６記載のメイクブラシ洗浄容器。
【考案の詳細な説明】
【技術分野】
【０００１】
本考案は、メイクブラシ洗浄容器に係り、特に、使用勝手が損なわれるのを防ぐことができるメイクブラシ洗浄容器に関する。
【背景技術】
【０００２】
従来、容器本体と一体となった底面に半球状の突起を設け、前記突起に筆を当てて洗うことができる化粧道具洗い具がある（特許文献１参照）。
この化粧道具洗い具にあっては、半球状の突起を有した底面を清掃したい場合がある。
【先行技術文献】
【特許文献】
【０００３】
【特許文献１】特開２０１２−３５２５７号公報（図１１参照）
【考案の概要】
【考案が解決しようとする課題】
【０００４】
ところが、半球状の突起を有した底面は、容器本体と一体となっているため、例えば、隣接する半球状の突起と半球状の突起との間の清掃が容器本体が邪魔となって、清掃しづらい問題点が生じた。
【０００５】
本考案は、上記の要望を考慮してなされたメイクブラシ洗浄容器を提供することである。
【課題を解決するための手段】
【０００６】
請求項１記載のメイクブラシ洗浄容器は、メイクブラシ洗浄液を貯める容器本体と、この容器本体の底に脱着自在に取り付けられた凸部を有する洗浄体とを備え、この洗浄体は、前記洗浄体メイクブラシ洗浄液より比重が小さく、
前記凸部は、メイクブラシに当接するものである。
【０００７】
また、請求項２記載のメイクブラシ洗浄容器は、請求項１記載のメイクブラシ洗浄容器において、洗浄体に前記洗浄体の表面と前記洗浄体の裏面を貫く開口部が設けられているものである。
【０００８】
また、請求項３記載のメイクブラシ洗浄容器は、請求項１又は請求項２記載のメイクブラシ洗浄容器において、洗浄体の表面に手で把持できる摘みが設けられているものである。
【０００９】
また、請求項４記載のメイクブラシ洗浄容器は、請求項３記載のメイクブラシ洗浄容器において、洗浄体の表面に設けられた凸部は、高さが高い複数の凸部と、この高い複数の凸部より高さが低い複数の凸部とを有し、前記低い複数の凸部は、前記高い複数の凸部より摘みに近い側に位置し、前記低い複数の凸部は、前記摘みの周囲に設けられているものである。
【００１０】
また、請求項５記載のメイクブラシ洗浄容器は、請求項１又は請求項２又は請求項３記載のメイクブラシ洗浄容器において、容器本体の底が平面視、多角形形状であり、洗浄体が平面視、多角形形状であり、前記洗浄体の外周が前記容器本体の内壁に対向しているものである。
【００１１】
また、請求項６記載のメイクブラシ洗浄容器は、請求項１又は請求項２又は請求項３又は請求項５記載のメイクブラシ洗浄容器において、容器本体は上部開口部を有し、この上部開口部を覆う蓋体を有し、この蓋体に垂下する垂下部材が設けられ、この垂下部材にメイクブラシ支持部材が取り付けられ、前記メイクブラシ支持部材は、前記蓋体に平行で、メイクブラシの柄の挿入を許容するメイクブラシ挿入口を有し、前記蓋体の表面を載置面に当接した状態にあって、前記メイクブラシの柄の頭部を前記蓋体の裏面に当接し、前記メイクブラシの柄の中途を前記メイクブラシ挿入口の縁部で支持して、前記メイクブラシの毛を乾燥させるものであり、前記垂下部材は中途が分離自在又は前記蓋体と前記メイクブラシ支持部材に一体的に形成されているものである。
【００１２】
また、請求項７記載のメイクブラシ洗浄容器は、請求項６記載のメイクブラシ洗浄容器において、メイクブラシの柄の頭部が係止するストッパーを蓋体の裏面に設けたものである。
【考案の効果】
【００１３】
請求項１記載のメイクブラシ洗浄容器によれば、洗浄体を容器本体から分離して、洗浄体の清掃を容易にし、また、洗浄体がメイクブラシ洗浄液より比重が小さくても、洗浄体は容器本体の底に脱着自在に取り付けられているため、洗浄体がメイクブラシ洗浄液より浮上が防止され、使用勝手が損なわれるのを防ぐことができる。
【００１４】
また、請求項２記載のメイクブラシ洗浄容器によれば、上述した請求項１記載の考案の効果に加え、洗浄体に前記洗浄体の表面と前記洗浄体の裏面を貫く開口部が設けられているため、洗浄体は容器本体の底に取り付けられた場合、
洗浄体の裏面と容器本体との間の空気が開口部を介して逃げ、空気溜まりが生ずるのを防ぎ、使用勝手が損なわれるのを防ぐことができる。
【００１５】
また、請求項３記載のメイクブラシ洗浄容器によれば、上述した請求項１又は請求項２記載の考案の効果に加え、容器本体の底に取り付けられた洗浄体を取り外す必要性が生じた場合、摘みを手で把持して洗浄体を容器本体の底から容易に分離することができる。  
【００１６】
また、請求項４記載のメイクブラシ洗浄容器によれば、上述した請求項３記載の考案の効果に加え、洗浄体の表面に設けられた凸部は、高さが高い複数の凸部と、この高い複数の凸部より高さが低い複数の凸部とを有しているため、メイクブラシの毛の長いものと毛の短いものに対応でき、しかも、低い複数の凸部は、高い複数の凸部より 摘みに近い側に位置し、低い複数の凸部は、摘みの周囲に設けられているため、手で把持できる摘みの高さを低くしてコンパクトにすることができる。
【００１７】
また、請求項５記載のメイクブラシ洗浄容器によれば、上述した請求項１又は請求項２又は請求項３記載の考案の効果に加え、容器本体の底が平面視、多角形形状であり、洗浄体が平面視、多角形形状であり、前記洗浄体の外周が前記容器本体の内壁に対向しているため、洗浄体の移動が防止され、洗浄体が安定し、使用勝手が損なわれるのを防ぐことができる。
【００１８】
また、請求項６記載のメイクブラシ洗浄容器によれば、上述した請求項１又は請求項２又は請求項３又は請求項５記載の考案の効果に加え、メイクブラシ洗浄容器に洗浄機能以外に、メイクブラシを倒立状態に保持するスタンド機能を付加してメイクブラシの毛を乾燥させることができ、しかも、容器本体は上部開口部を有し、この上部開口部を覆う蓋体を有し、この蓋体に垂下する垂下部材が設けられ、この垂下部材にメイクブラシ支持部材が取り付けられているため、メイクブラシの毛を乾燥させる機能する部材（垂下部材、メイクブラシ支持部材）をメイクブラシ洗浄容器内にコンパクトに収納することができる。
【００１９】
また、請求項７記載のメイクブラシ洗浄容器によれば、上述した請求項６記載の考案の効果に加え、メイクブラシの柄の中途をメイクブラシ挿入口の縁部で、メイクブラシの柄の頭部をストッパーで、それぞれ支持するため、メイクブラシが安定して、メイクブラシの毛を乾燥させることができる。
【図面の簡単な説明】
【００２０】
【図１】図１は、本考案の一実施例のメイクブラシ洗浄容器を斜め上方から撮影した写真である。
【図２】図２は、図１のメイクブラシ洗浄容器を分解して示す写真である。
【図３】図３は、蓋体とメイクブラシ支持部材とが垂下部材を介して一体化された図２の垂下部材を中途を分離した状態を示す写真である。
【図４】図４は、図１の容器本体の底に脱着自在に取り付けられた洗浄体との関係を説明するための写真である。
【図５】図５は、図２の洗浄体の摘み、高い複数の凸部、低い複数の凸部との関係を説明するための写真である。
【図６】図６は、メイクブラシ洗浄容器の使用状態を示す写真で、図６（ａ）は、容器本体に中性洗剤又はメイク落としを入れる状態の写真を、図６（ｂ）は、図６（ａ）の容器本体内の洗浄体の凸部でメイクブラシの毛を洗う状態の写真を、図６（ｃ）は、図６（ｂ）の容器本体内の洗浄体の凸部でメイクブラシの毛を洗った状態の写真を、図６（ｄ）は、図６（ｃ）のメイクブラシの毛を乾燥させる状態の写真を、それぞれ示している。
【図７】図７（ａ）は、図６（ｄ）の蓋体を容器本体に載せた状態を示す写真であり、図７（ｂ）は、図７（ａ）の一部を拡大して示す写真である。
【考案を実施するための形態】
【００２１】
本考案の一実施例のメイクブラシ洗浄容器を図１乃至図７を参照して説明する。
図１に示すＣは、メイクブラシ１を洗浄する際に使用するメイクブラシ洗浄容器で、メイクブラシ洗浄容器Ｃは、メイクブラシ洗浄液を貯める容器本体２と、この容器本体２の底に脱着自在に取り付けられた凸部３ａを有する洗浄体３とを備えている。
脱着は、例えば、容器本体２の底に設けた凸部２１の外周に、洗浄体３の裏面に設けた係止部３１の内壁を係止させるようにする。係止部３１は、図４に示すように、円の中途を切断した略環状部である。
なお、メイクブラシ洗浄液は、例えば、中性洗剤又はメイク落としを薄く溶かしたぬるま湯であり、洗浄体３は、例えば、EVA（ エチレン酢酸ビニル共重合体）で形成され、前記洗浄体メイクブラシ洗浄液より比重が小さく、メイクブラシ１は、例えば、アイシャドウブラシ、 フェイスブラシ、チークブラシ、眉ブラシ等である。 凸部３ａは、メイクブラシ１の洗浄時、メイクブラシ１に当接し、洗浄体メイクブラシ洗浄液と協調して、メイクブラシ１の洗浄に寄与するものである。
【００２２】
従って、上述した メイクブラシ洗浄容器Ｃによれば、図６（ａ）、図６（ｂ）に示すようにして、中性洗剤又はメイク落としを入れたぬるま湯に本体内の洗浄体３の凸部３ａでメイクブラシ１の毛を洗うことができ、また、洗浄体３を容器本体２から分離して、洗浄体３の清掃を容易にし、洗浄体３がメイクブラシ洗浄液より比重が小さくても、洗浄体３は容器本体２の底に脱着自在に取り付けられているため、洗浄体２がメイクブラシ洗浄液より浮上が防止され、使用勝手が損なわれるのを防ぐことができる。
【００２３】
また、洗浄体３には、洗浄体３の表面と洗浄体３の裏面を貫く開口部３ｂが設けられている。これは、洗浄体２が容器本体２の底に取り付けられた場合、
洗浄体３の裏面と容器本体２との間の空気が開口部３ｂを介して逃げ、空気溜まりが生ずるのを防ぐためである。
【００２４】
また、洗浄体３には、洗浄体３の表面に手で把持できる摘み３ｃが設けられている。
容器本体２の底に取り付けられた洗浄体３を取り外す必要性が生じた場合、摘み３ｃを手で把持して洗浄体３を容器本体１の底から容易に分離することができる。  
【００２５】
また、洗浄体３の表面に設けられた凸部３ａは、高さが高い複数の凸部３ａ１と、この高い複数の凸部３ａ１より高さが低い複数の凸部３ａ２とを有し、低い複数の凸部３ａ２は、高い複数の凸部３ａ１より 摘み３ｃに近い側に位置している。
このように、洗浄体３の表面に設けられた凸部３ａは、高さが高い複数の凸部３ａ１と、この高い複数の凸部３ａ１より高さが低い複数の凸部３ａ２とを有しているため、メイクブラシ１の毛の長いものと毛の短いものに対応でき、しかも、低い複数の凸部３ａ２は、高い複数の凸部３ａ１より 摘み３ｃに近い側に位置して、低い複数の凸部３ａ２は、摘み３ｃの周囲に設けられているため、手で把持できる摘みの高さを低くしてコンパクトにすることができる。
【００２６】
また、容器本体２の底が平面視、多角形形状（例えば、八角形）であり、 洗浄体３が平面視、多角形形状（例えば、八角形）であり、洗浄体３の外周が容器本体２の内壁に対向している。
そのため、洗浄体３の移動が防止され、洗浄体３が安定し、使用勝手が損なわれるのを防ぐことができる。
【００２７】
また、容器本体２は上部開口部２Ａを有し、この上部開口部２Ａを覆う蓋体４を有し、この蓋体４に垂下する垂下部材４１が設けられ、この垂下部材４１にメイクブラシ支持部材４２が取り付けられ、メイクブラシ支持部材４２は、蓋体４に平行で、メイクブラシ１の柄１ａの挿入を許容するメイクブラシ挿入口４２ａを有している。
そのため、図１に示すように、.メイクブラシ１の毛を乾燥させる機能する部材（垂下部材４１、メイクブラシ支持部材４２）をメイクブラシ洗浄容器Ｃ内にコンパクトに収納することができる。
【００２８】
蓋体４の表面を載置面Ｘに当接した状態にあって、メイクブラシ１の柄の頭部を蓋体４の裏面に当接し、メイクブラシ１の柄の中途をメイクブラシ挿入口４２ａの縁部で支持して、メイクブラシ１の毛を乾燥させることができる。
本実施例では、垂下部材４１は中途が分離自在となっているが、垂下部材４１は蓋体４とメイクブラシ支持部材４２に一体的に形成されていても良い。
このように、イクブラシ洗浄容器Ｃに洗浄機能以外に、メイクブラシ１を倒立状態に保持するスタンド機能を付加してメイクブラシ１の毛を乾燥させることができる［図６（ｄ）参照］。
メイクブラシ１の毛を乾燥させる場合、図６（ｄ）記載に限らず、図７（ａ）、図７（ｂ）に示すように、蓋４体を容器本体１に載せた状態でメイクブラシ１の毛を乾燥させるようにしても良い。
【００２９】
また、メイクブラシ１の柄１ａの頭部が係止するストッパー４Ｓ（図３参照）が蓋体４の裏面に設けられている。
そのため、メイクブラシ１の柄１ａの中途をメイクブラシ挿入口４２ａの縁部で、メイクブラシ１の柄１ａの頭部をストッパー４Ｓで、それぞれ支持するため［図６（ｄ）、図７（ｂ）］、メイクブラシ１が安定して、メイクブラシ１の毛を乾燥させることができる。
【符号の説明】
【００３０】
Ｃ      メイクブラシ洗浄容器
１      メイクブラシ
２      容器本体
３      洗浄体
３ａ    凸部
【図１】
0003214050.tif 000003
【図２】
0003214050.tif 000004
【図３】
0003214050.tif 000005
【図４】
0003214050.tif 000006
【図５】
0003214050.tif 000007
【図６】
0003214050.tif 000008
【図７】
0003214050.tif 000009